(57)【要約】【課題】便座表面温度の均熱化を少ない部材で軽量で実現することを目的とする。【解決手段】内部に空洞部１３を形成した便座９と、前記空洞部１３に配設された輻射型発熱体１６とを備え、前記輻射型発熱体１６上方の便座内壁面１４に格子状リブ２０を形成したことにより、格子状リブ２０が輻射エネルギーを吸収することにより便座の表面温度を調整することが可能となるため、輻射型発熱体１６と便座内面壁１４との距離に応じて、格子リブ２０の配設密度を調整することにより、別の部品を追加することなく便座の表面温度を均一にすることができる【選択図】図２
2006325697.tif 000002
【特許請求の範囲】
【請求項１】
内部に空洞部を形成した便座と、前記空洞部に配設された輻射型発熱体とを備え、前記輻射型発熱体上方の便座内壁面に格子状リブを形成した便座装置。
【請求項２】
輻射型発熱体を少なくとも便座の側方部と後方部に配設し、前記便座の後方部に比べ側方部に格子状リブを密に配設した請求項１に記載の便座装置。
【請求項３】
輻射型発熱体を少なくとも便座の側方部と後方部に配設し、前記便座の後方部に比べ側方部の格子状リブの高さを高く形成した請求項１に記載の便座装置。
【発明の詳細な説明】
【技術分野】
【０００１】
本発明は、複雑な部材を使用せずに便座表面温度を均熱化した便座装置に関するものである。
【背景技術】
【０００２】
従来この種の便座装置は、輻射反射板を用いて均熱化を図っている（例えば、特許文献１参照）。
【０００３】
図４は、前記公報に記載された従来の便座装置を示すものである。図４に示すように、空洞部１の内部には便座２の便座上部３に対向して、アルミ板を鏡面仕上げした輻射反射板４と輻射型発熱体５から構成されている。
【特許文献１】特開２０００−０１４５９８号公報
【発明の開示】
【発明が解決しようとする課題】
【０００４】
しかしながら、前記従来の構成では、アルミ板の輻射反射板を折り曲げて均熱化を図っているので、便座が重くなるという課題を有していた。
【０００５】
本発明は、前記従来の課題を解決するもので、軽量で均熱化した便座装置を提供することを目的とする。
【課題を解決するための手段】
【０００６】
前記従来の課題を解決するために、本発明の便座装置は、内部に空洞部を形成した便座と、前記空洞部に配設された輻射型発熱体とを備え、前記輻射型発熱体上方の便座内壁面に格子状リブを形成したものである。
【０００７】
これによって、余分な材料を使用しないため、軽量で均熱化が可能となる。
【発明の効果】
【０００８】
本発明の便座装置は、便座表面温度の均熱化を少ない部材で軽量で実現することができる。
【発明を実施するための最良の形態】
【０００９】
第１の発明は、内部に空洞部を形成した便座と、前記空洞部に配設された輻射型発熱体とを備え、前記輻射型発熱体上方の便座内壁面に格子状リブを形成したことにより、格子状リブが輻射エネルギーを吸収することにより便座の表面温度を調整することが可能となるため、輻射型発熱体と便座内面壁との距離に応じて、格子リブの配設密度を調整することにより、別の部品を追加することなく便座の表面温度を均一にすることができる。
【００１０】
第２の発明は、特に、第１の発明の輻射型発熱体を少なくとも便座の側方部と後方部に配設し、前記便座の後方部に比べ側方部に格子状リブを密に配設したことにより、輻射型発熱体と便座内壁面との距離が離れている後方部は格子状リブの密度を粗になり、格子状リブによる輻射エネルギーの吸収が少なく相対的に便座の表面温が上昇しやすくなり、これに対し輻射型発熱体と便座内壁面との距離が近い側方部は格子状リブの密度が密となることで、格子状リブによる輻射エネルギーの吸収が多くなり相対的に便座の表面温が上昇し難くなり、輻射型発熱体と便座内壁面との距離が異なる便座の側方部と後方部の表面温度を均一にすることができる。
【００１１】
第３の発明は、特に、第１の発明の輻射型発熱体を少なくとも便座の側方部と後方部に配設し、前記便座の後方部に比べ側方部の格子状リブの高さを高く形成したことにより、輻射型発熱体と便座内壁面との距離が離れている後方部は格子状リブの高さが低いため、格子状リブによる輻射エネルギーの吸収が少なく相対的に便座の表面温度が上昇しやすくなり、これに対し輻射型発熱体と便座内壁面との距離が近い側方部は格子状リブの高さが高いため、格子状リブによる輻射エネルギーの吸収が多くなり相対的に便座の表面温が上昇し難くなり、輻射型発熱体と便座内壁面との距離が異なる便座の側方部と後方部の表面温度を均一にすることができる。
【００１２】
以下、本発明の実施の形態について、図面を参照しながら説明する。なお、本実施の形態によって本発明が限定されるものではない。
【００１３】
（実施の形態１）
図１は本発明の第１の実施の形態における便座装置を便器に設置した状態の斜視図を示し、図２は便座の一部断面を含む平面図を示し、図３は便座の側方部の要部断面図を示すものである。
【００１４】
図１に示すように、便器６上に本体７が載置固定してある。前記本体７には回動自在に便蓋８及び便座９が設けてあり、前記本体７の袖部７ａには赤外線透過部が設けてあり、その内側にはトイレ空間の人体の有無を検知する赤外線センサ１０が内蔵されている。
【００１５】
次に図２及び図３に示すように、便座９は、合成樹脂製の上ケース１１と下ケース１２のそれぞれの内周縁および外周縁を接合固定することにより、内部に空洞部１３を有する構造となっている。その空洞部１３の内部には上ケース１１の便座内壁面１４に対向して、輻射型発熱体１６が設けられている。輻射型発熱体１６の近傍には、輻射型発熱体１６と直列に電気接続したサーモスタット１７及び温度ヒューズ１８が設けられ、万一の不安全事態に対して温度過昇を防止するよう作用する。
【００１６】
また、上ケース１１の内面に設けられた凹部にはサーミスタ１９がはめ込まれており、このサーミスタ１９の信号に基づいて便座９の表面温度が所定の温度になるよう輻射型発熱体１６への通電を制御する制御器（図示せず）が本体７に設けられている。
【００１７】
上ケース１１の便座内壁面１４には、格子状リブ２０が上ケース１１と一体に成型してある。格子状リブ２０は略円周方向配設した円周リブ２１と略法線方向の法線リブ２２から形成してあり、図２に示すように、便座９の側方部２３には法線リブ２２を多く配設することにより格子状リブ２０の密度を密にしており、これに対し、便座の後方部２４には法線リブ２２を少なく配設することにより格子状リブ２０の密度を粗にしている。
【００１８】
図２は便座９の側方部２３の断面を示すものであり輻射型発熱体１６と便座内壁面１４との距離が小さくなっている。これに対し図示していないが便座９の後方部２４においては輻射型発熱体１６と便座内壁面１４との距離が大きくなっている。
【００１９】
以上のように構成された便座装置について、以下その動作、作用を説明する。
【００２０】
まず、使用者がトイレに入室した場合、赤外線センサ１０がそれを検知し、その信号により輻射型発熱体１６が付勢される。これにより投入エネルギーは瞬時に輻射エネルギーに変換され、便座内壁面１４の方向に放射され、便座９をほぼ瞬時に加温することができるものである。
【００２１】
輻射型発熱体１６から便座内壁面１４への距離の近い便座９の側方部２３と、輻射型発熱体１６から便座内壁面１４への距離の遠い便座９の後方部２４に輻射エネルギーが伝わり便座９を昇温するが、便座９の側方部２３の格子状リブ２０を便座９の後方部２４の格子状リブに比べて密に配設したことにより、格子状リブで輻射エネルギーを吸収してしまうため相対的に便座の表面温が上昇し難くなり、便座９の側方部２３と後方部２４の表面温度が均一となる。
【００２２】
以上のように、本実施の形態においては、輻射型発熱体から便座内壁面１４への距離の近い便座の側方部と、輻射型発熱体から便座内壁面１４への距離の遠い便座の後方部の、格子状リブの配設する密度を変えることにより、別の部品を追加することなく便座内壁面の表面温度を均熱化することができる。
【００２３】
なお、本実施の形態においては、便座の側方部と後方部で格子状リブの配設密度を変えることにより、格子状リブの熱容量を変え、格子状リブでの輻射エネルギーの吸収量を変えることにより便座の表面温度の均一化を図ったが、格子状リブの配設密度を変えることに限らず、格子状リブの高さあるいは厚さを変えることにより格子状リブの熱容量を変えることにより同様の作用、降下を得ることができる。
【００２４】
また、本実施の形態においては、便座の側方部と後方部で格子状リブの配設密度を変えたが、これに限るものではなく、便座の形状により輻射型発熱体と便座内壁面との距離が異なる部分に対応して格子状リブの配設密度や格子状リブの高さや厚みを変えることにより、便座の表面温度の均一化を図ることができる。
【産業上の利用可能性】
【００２５】
以上のように、本発明にかかる便座装置は、便座表面温度の均熱化を少ない部材で軽量で実現することができるので、他の暖房器具等の用途にも適用できる。
【図面の簡単な説明】
【００２６】
【図１】本発明の実施の形態１における便座装置の斜視図
【図２】本発明の実施の形態１における便座装置の要部平面図
【図３】本発明の実施の形態１における便座装置の要部断面図
【図４】従来の便座装置の要部断面図
【符号の説明】
【００２７】
９  便座
１３  空洞部
１４  便座内壁面
１６  輻射型発熱体
２０  格子状リブ
２３  側方部
２４  後方部
【図１】
2006325697.tif 000003
【図２】
2006325697.tif 000004
【図３】
2006325697.tif 000005
【図４】
2006325697.tif 000006